(57)【特許請求の範囲】
【請求項１】
水平部及び垂直部からなる略Ｌ字形状を有する複数のコンタクトと、
前記複数のコンタクトの前記垂直部が下方に延びるように且つ前記複数のコンタクトの前記水平部がフレーム内部に向かうように前記水平部の一部を保持するフレームと、
前記フレームに取り付けられ前記複数のコンタクトの前記垂直部の少なくとも一部を覆うシェルと、
該シェル及び前記フレームの双方と別体であり且つ前記フレームによっては支持されず前記シェルに支持されたロケータであって、当該カードコネクタを基板に搭載する際の搭載面を有し且つ前記複数のコンタクトの前記垂直部の先端を前記搭載面から突出させるようにして前記垂直部の一部を保持するロケータと
を備えるカードコネクタであって、
前記シェルは、前記複数のコンタクトの前記垂直部の周囲を取り囲む形状を有している、カードコネクタ。
【請求項２】
前記シェルには、軽量化のため、複数の孔が形成されている、請求項１記載のカードコネクタ。
【請求項３】
前記ロケータは、前記搭載面から下側に向かって突出した位置決めボスを更に備えている、請求項１又は請求項２記載のカードコネクタ。
【請求項４】
前記搭載面から下側に向かって突出するように前記ロケータに取り付けられたポストであって、前記シェルと電気的に接続されたポストを更に備える、請求項３記載のカードコネクタ。
【請求項５】
前記シェルと一体に形成されたポストを更に備えており、当該ポストは、前記ロケータが前記シェルに支持された状態において前記ロケータの前記搭載面よりも下側に向かって突出している、請求項３記載のカードコネクタ。
【請求項６】
前記シェルは、前記フレームの後端側に取り付けられており、
当該カードコネクタは、前記フレームとは別体のフックピンであって、前記フレームの前端側に取り付けられたフックピンを更に備えている、請求項１乃至請求項５のいずれかに記載のカードコネクタ。
【発明の詳細な説明】
【技術分野】
【０００１】
本発明は、ＩＣカードのようなカードを挿脱可能なカードコネクタに関する。
【背景技術】
【０００２】
この種のカードコネクタとしては、カード挿入・収容部を基板から所定の高さに位置させるようにして基板に搭載されるスタンドオフ付のものが知られている（例えば、特許文献１参照）。
【０００３】
【特許文献１】特開２００６−３２４１８５号公報
【発明の開示】
【発明が解決しようとする課題】
【０００４】
特許文献１のカードコネクタの場合、シェルのうち、カードコネクタの側部から下側に向けて延びる部分のみがスタンドオフ部として機能しカードコネクタを支えており、強度的に弱いという問題がある。
【０００５】
一方、インシュレータ（ハウジング）を大きくすることによりスタンドオフ部を構成しようとすると、大きな金型が必要となり、生産性が悪い。加えて、金型成型の限界があるため、スタンドオフ高さをある程度以上高くすることができない。また、インシュレータのみでスタンドオフ部を構成しようとすると、略Ｌ字形状を有するコンタクトの場合などにはコンタクトのうちスタンドオフ部と同方向に延びる部分（垂直部）に対するシールドが全くないことになり、ノイズ対策上問題がある。
【０００６】
そこで、本発明は、略Ｌ字形状を有するコンタクトを備えたカードコネクタであって、ノイズ対策をしつつ強度を確保し、更にはスタンドオフ高さの高い製品を容易に製造可能とするような構造を備えたカードコネクタを提供することを目的とする。
【課題を解決するための手段】
【０００７】
本発明によれば、第１のカードコネクタとして、
水平部及び垂直部からなる略Ｌ字形状を有する複数のコンタクトと、
前記複数のコンタクトの前記垂直部が下方に延びるように且つ前記複数のコンタクトの前記水平部がフレーム内部に向かうように前記水平部の一部を保持するフレームと、
前記フレームに取り付けられ前記複数のコンタクトの前記垂直部の少なくとも一部を覆うシェルと、
該シェルと別体であり且つ該シェルに支持されたロケータであって、当該カードコネクタを基板に搭載する際の搭載面を有し且つ前記複数のコンタクトの前記垂直部の先端を前記搭載面から突出させるようにして前記垂直部の一部を保持するロケータと
を備えるカードコネクタが得られる。
【０００８】
また、本発明によれば、第２のカードコネクタとして、第１のカードコネクタにおいて、
前記シェルは、前記複数のコンタクトの前記垂直部の周囲を取り囲む形状を有している、カードコネクタが得られる。
【０００９】
また、本発明によれば、第３のカードコネクタとして、第２のカードコネクタにおいて、
前記シェルには、軽量化のため、複数の孔が形成されている、カードコネクタが得られる。
【００１０】
また、本発明によれば、第４のカードコネクタとして、第１乃至第３のカードコネクタのいずれかにおいて、
前記ロケータは、前記搭載面から下側に向かって突出した位置決めボスを更に備えている、カードコネクタが得られる。
【００１１】
また、本発明によれば、第５のカードコネクタとして、第４のカードコネクタにおいて、
前記搭載面から下側に向かって突出するように前記ロケータに取り付けられたポストであって、前記シェルと電気的に接続されたポストを更に備える、カードコネクタが得られる。
【００１２】
また、本発明によれば、第６のカードコネクタとして、第４のカードコネクタにおいて、
前記シェルと一体に形成されたポストを更に備えており、当該ポストは、前記ロケータが前記シェルに支持された状態において前記ロケータの前記搭載面よりも下側に向かって突出している、カードコネクタが得られる。
【００１３】
また、本発明によれば、第７のカードコネクタとして、第１乃至第６のカードコネクタのいずれかにおいて、
前記シェルは、前記フレームの後端側に取り付けられており、
当該カードコネクタは、前記フレームとは別体のフックピンであって、前記フレームの前端側に取り付けられたフックピンを更に備えている、カードコネクタが得られる。
【００１４】
更には、本発明によれば、第８のカードコネクタとして、第１乃至第７のカードコネクタのいずれかにおいて、
前記フレームと前記ロケータとは別体である、カードコネクタが得られる。
【００１５】
加えて、本発明によれば、水平部及び垂直部からなる略Ｌ字形状を有する複数のコンタクトと、
前記複数のコンタクトの前記垂直部が下方に延びるように且つ前記複数のコンタクトの前記水平部がフレーム内部に向かうように前記水平部の一部を保持するフレームと、
前記フレームに取り付けられ前記複数のコンタクトの前記垂直部の周囲を取り囲むように構成されたシェルと
を備えるカードコネクタが得られる。
【発明の効果】
【００１６】
本発明によれば、基板に搭載されるロケータとシェルとを別体とし、ロケータとシェルとの組み合わせによりスタンドオフ高さが決定されるように構成したことから、ノイズ対策をしつつスタンドオフ高さの高いカードコネクタを容易に製造することができる。
【発明を実施するための最良の形態】
【００１７】
図１及び図２に示されるように、本発明の実施の形態によるカードコネクタ１は、ＰＣカードのようなカード２を収容し、カード２の端子（図示せず）を基板（図示せず）などに電気的に接続するためのものであり、特に、カード２を基板から離した状態で保持するスタンドオフ付のものである。なお、カード２のサイドエッジ２ａにはグランドに落とされるべき電極部２ｂが設けられており、またカード２の挿入方向（Ｘ方向）端部近傍の上面にもグランドに落とされるべき接点部２ｃが形成されている。
【００１８】
本実施の形態によるカードコネクタ１は、図３に示されるように、インシュレータからなるフレーム１０、カード２の電極部２ｂと電気的に接続される一対のアースラグ２０、アースラグ２０と電気的に接続される一対のフックピン３０、フレーム１０の前端部分をカバーするシールドプレート４０、フレーム１０の後端側において保持される複数のコンタクト５０、カード２の接点部２ｃと電気的に接続されるグランドプレート６０、グランドプレート６０と電気的に接続されるロワーシェル７０、ロワーシェル７０に支持されるロケータ８０、ロケータ８０に固定されるポスト９０、グランドプレート６０及びロワーシェル７０と電気的に接続されるアッパーシェル１００を備えている。本実施の形態においては、フレーム１０及びロケータ８０は絶縁材料から形成されているが、その他の構成要素、即ち、アースラグ２０、フックピン３０、シールドプレート４０、コンタクト５０、グランドプレート６０、ロワーシェル７０、ポスト９０及びアッパーシェル１００は金属から形成されている。
【００１９】
図３及び図４に示されるように、フレーム１０は、カード２の幅方向（Ｙ方向）に延びるベース部１１と、ベース部１１の幅方向の両端からカード２の抜去方向（−Ｘ方向）に延びる一対のガイド部１２と、ガイド部１２の先端近傍を連結するブリッジ部１３と、ベース部１１の幅方向の両端から下方向（−Ｚ方向）に向かって延びるバックスタンド１４と、ブリッジ部１３の幅方向の両端から下方向に向かって延びるフロントスタンド１５とを有しており、ガイド部１２の先端近傍にはアースラグ２０を取り付けるための被取付部１６が形成されている。
【００２０】
図４に示されるように、ベース部１１には、ベース部１１をＸ方向において貫通する保持孔１１ａが形成されている。
【００２１】
図３及び図４に示されるように、ガイド部１２は、幅方向内側にカード２のサイドエッジ２ａをガイドするガイド溝１２ａを有している。また、ガイド部１２の後端側（即ち、ベース部１１近傍）の側面上には係止凸部１２ｂが形成され、ガイド部１２の後端側の側面と下面との角部には凹部１２ｃが形成されている。
【００２２】
図３及び図４に示されるように、ブリッジ部１３は、略薄板形状を有しており、ガイド溝１２ａの底辺部分を接続している。
【００２３】
図３、図４及び図６に示されるように、バックスタンド１４は、係止溝部１４ａと、ＸＹ平面における断面がＴ字状であるＴ字状突条部１４ｂと、２つの係止凹部１４ｄ及び１４ｅを備えている。Ｔ字状突条部１４ｂは、バックスタンド１４の側面上を上下方向（Ｚ方向）に延びる突条であり、係止凹部１４ｄ、１４ｅは幅方向において側面上に段差を設けるようにして形成された凹部である。係止凹部１４ｄは、係止凹部１４ｅよりも下側に位置している。
【００２４】
図３に示されるように、フロントスタンド１５は、フックピン３０の一部を収容保持するコの字状溝１５ａと、アースラグ２０の一部を収容する収容部１５ｂを備えている。コの字状溝１５ａは、ＸＹ平面における断面がコの字状の溝であり、Ｚ方向に延びている。コの字状溝１５ａの内側面上には、係止凹部（図示せず）が形成されており、フックピン３０の固定に用いられる（後述）。収容部１５ｂは、フロントスタンド１５の前面１５ｃからＸ方向に向かって延びる溝であり、図５に示されるように、フロントスタンド１５内においてコの字状溝１５ａと繋がっている。なお、本実施の形態においては、コの字状溝１５ａの底部１５ｄは、図５に示されるように、収容部１５ｂの底部１５ｅよりも下側（−Ｚ方向）に位置している。
【００２５】
図３及び図４に示されるように、被取付部１６は、アースラグ２０の取付時に、アースラグ２０の一部が摺動する面１６を下側（−Ｚ方向）に有しており、面１６の挿入方向奥側（Ｘ方向）には係止凹部１６ｂが形成されている。また、被取付部１６には、幅方向（Ｙ方向）において被取付部１６を貫通する溝であってＸ方向に延びるサイド溝１６ｃが形成されている。更に、被取付部１６の側面上にはＹＺ平面における断面がＴ字状の溝であるＴ字状溝１６ｄが挿入方向に延びるようにして形成されている。
【００２６】
図３に示されるように、アースラグ２０は、平板状の主部２１を備えている。主部２１の挿入方向手前側（−Ｘ方向）且つ下側（−Ｚ方向）の端部には、幅方向内側に延びた後、挿入方向奥側（Ｘ方向）に延びる第１バネ部２２が設けられている。第１バネ部２２の先端部２３は、上側（Ｚ方向）に向けて「くの字」状に折り曲げられている。主部２１の挿入方向手前側の端部の上下方向中ほどの部分には、幅方向の内側において挿入方向に延びるようにして且つ幅方向内側に頂部を有するようにして「くの字」状に折り曲げ形成された第２バネ部２４が設けられている。主部２１の挿入方向奥側の端部の上側の部分には、挿入方向に延びる第１アーム部２５が設けられており、第１アーム部２５の先端には、幅方向外側に向かって延びた後、再び挿入方向奥側に延びる略Ｌ字状の第２アーム部２６が設けられている。本実施の形態における第２アーム部２６は、第２アーム部２６のみが被取付部１６のＴ字状溝１６ｄの幅小の部分よりも細いが、第１アーム部２５はＴ字状溝１６ｄの幅小の部分よりも広くなるように構成されている。第２アーム部２６の挿入方向奥側の先端には、フロントスタンド１５の収容部１５ｂに挿入される被挿入部２７が設けられている。更には、被挿入部２７には幅方向においてバネ性を有する第３バネ部２８が設けられている。かかる構成を備えるアースラグ２０は、挿入方向に沿うようにして第１アーム部２５をＴ字状溝１６ｄに挿入し、主部２１の前端の部位２１ａがＴ字状溝１６ｄの挿入方向手前側の端部１６ｅに突き当たるまで移動させることにより、被取付部１６に取り付けられる。その際、第１バネ部２２の先端部２３は、被取付部１６の面１６ａ上を摺動し、先端部２３が係止凹部１６ｂ内に到達する。また、第２バネ部２４は、サイド溝１６ｃ内を移動し、その結果、「くの字」状の頂部がガイド溝１２ａ内に位置することとなる。第２アーム部２６は、Ｔ字状溝１６ｄの幅小の部分よりも細いので、上記のようなアースラグ２０の移動により、Ｔ字状溝１６ｄの幅小の部分内をスムーズに移動する。その結果、被挿入部２７が収容部１５ｂ内に収容される。
【００２７】
図３に示されるように、フックピン３０は、上下方向（Ｚ方向）に長手を有している。フックピン３０の第１端部３２には凸片３１が設けられており、また、背面３３には幅方向内側に端部を突出させた係止舌片３４が形成されている。更には、フックピン３０の第２端部３５には、カードコネクタ１を基板に搭載する際に、基板のスルーホールに係止させられる二股係止片３６が設けられている。ここで、フックピン３０の第２端部３５は、カードコネクタ１を基板に搭載する際に、基板上に当接する部分である。即ち、本実施の形態においてカードコネクタ１のフロント側のスタンドオフ高さはフックピン３０の長さにより決まることとなっている。かかる構成を備えるフックピン３０は、フロントスタンド１５のコの字状溝１５ａに挿入し、第１端部３２がコの字状溝１５ａの底部１５ｄに突き当たるまで押し込むことにより、フロントスタンド１５に取り付けられる。なお、このフックピン３０のフロントスタンド１５への取付時には、フックピン３０の係止舌片３４がコの字状溝１５ａの内側面に設けられた係止凹部（図示せず）に係止するので、フックピン３０がフロントスタンド１５から抜け落ちることが防止されている。また、本実施の形態においては、アースラグ２０を被取付部１６に取り付けた後に、フックピン３０をフロントスタンド１５に取り付けることにより、図５に示されるように、フックピン３０の背面３３とアースラグ２０の第３バネ部２８とが接触することとなり、それによって両者の電気的接続が図られている。このようにして、カード２の電極部２ｂからアースラグ２０及びフックピン３０を介して基板にグランドを落とす一経路が確立されている。
【００２８】
図３に示されるように、シールドプレート４０は、挿入方向に沿ってみた場合に、長細い筒状部を主部として有するものであり、その挿入方向先端には幅方向に突出した固定片４１が設けられている。アースラグ２０を被取付部１６に取り付け、更にそのアースラグ２０を覆うようにして、当接部４２がフロントスタンド１５の前面１５ｃに当接するまでシールドプレート４０をフレーム１０の前端に被せた後、固定片４１をフロントスタンド１５の挿入方向奥側においてＺ方向に折り曲げることにより、シールドプレート４０はフレーム１０の前端に固定される。このシールドプレート４０には、シールドプレートの一部をシールドプレート４０の内側に向かって折り曲げることにより形成された接触部４３が設けられており、シールドプレート４０をフレーム１０の前端に取り付けることにより、アースラグ２０の第１バネ部２２と接触部４３が接触し、それによって両者の電気的接続が図られることとなっている。シールドプレート４０の前端には、２つのフロントタブ４４が下側に（−Ｚ方向）に向けて延びるようにして設けられており、各フロントタブ４４には、バーリング加工により孔４５が形成されている。この孔４５付のフロントタブ４４は、シールドプレート４０を筐体にネジ止めすることを可能とするものである。このようなシールドプレート４０の筐体に対する接続固定により、カード２の電極部２ｂからアースラグ２０及びシールドプレート４０を介して筐体にグランドを落とす経路も確立される。即ち、本実施の形態においては、グランドの強化が図られている。
【００２９】
図３に示されるように、コンタクト５０は、それぞれ、水平部５１と垂直部５２とからなる略Ｌ字形状を有している。このコンタクト５０は、図３及び図４から理解されるように、水平部５１をフレーム１０の保持孔１１ａに挿通することにより、水平部５１が抜去方向（−Ｘ方向）に延び且つ垂直部５２が下方向（−Ｚ方向）に延びた状態で、フレーム１０に保持される。
【００３０】
図３に示されるように、グランドプレート６０は、ＸＹ平面と平行な平板状の主部６１と、主部６１の長手方向（Ｙ方向）両端から下側に延びる側部６２を有している。主部の前端側には、複数のバネ片６３が形成されている。このバネ片６３は、カード２がカードコネクタ１に挿入された際に、カード２の接点部２ｃと接続するためのものである。グランドプレート６０の側部６２には、前端近傍に、Ｙ方向において側部６２を貫通する被係止孔６４が形成されており、側部６２の前端近傍の下側の縁には固定爪６５が形成されている。また、側部６２の後端側下部には係止バネ部６６も形成されている。グランドプレート５０をフレーム１０の後端に対して、上側から被せるようにして取り付けると、フレーム１０のガイド部１２側面の係止凸部１２ｂが被係止孔６４に係止し、且つ、係止バネ部６６が係止溝部１４ａに係止する。その状態において、固定爪６５を冶具で折り曲げてフレーム１０のガイド部１２の凹部１２ｃに嵌めることにより、グランドプレート５０はフレーム１０上に固定されている。
【００３１】
図３及び図７に示されるように、ロワーシェル７０は、平板状の前面部７１と、前面部７１の幅方向の両端から後方（Ｘ方向）に延びる側面部７２と、側面部７２の後端から再び幅方向の内側に向かって延びる背面部７３を有しており、ＸＹ平面において略Ｃ字状の形状を備えている。前面部７１には、軽量化のため、複数の孔７１ａが形成されている。側面部７２の上端（Ｚ方向端部）付近には下側に向けて延びる第１スリット７２ａが形成されている。この第１スリット７２ａの幅は、バックスタンド１４のＴ字状突条部１４ｂの幅小の部分よりは広いが幅広の部分よりは狭い。かかる第１スリット７２ａの前方（−Ｘ方向）にはバネ片７２ｃが形成されており、第１スリット７２ａの後方（Ｘ方向）には係止舌片７２ｄが形成されている。一方、側部７２の下端（−Ｚ方向端部）付近には、バネ片７２ｅが形成されており、バネ片７２ｅの後方には上側に向けて延びる第２スリット７２ｆが形成されている。更には、第２スリット７２ｆの後方には係止バネ７２ｇが形成されている。加えて、図６及び図７に示されるように、背面部７３には背面バネ部７３ａが形成されている。このような構成を備えるロワーシェル７０のフレーム１０に対する取付は、上述したグランドプレート６０のフレーム１０への取付の後に行われる。詳しくは、グランドプレート６０の取付の後、バックスタンド１４のＴ字状突条部１４ｂの幅小の部分をロワーシェル７０の第１スリット７２ａに挿入し、第１スリット７２ａの端部７２ｂがＴ字状突条部１４ｂの端部１４ｃに当接するまでロワーシェル７０を押し込むことにより、ロワーシェル７０のフレーム１０に対する取付が行われる。この際、バネ片７２ｃはグランドプレート６０の側部６２に接触し、これにより両者の電気的接続が図られている。また、係止舌片７２ｄが係止凹部１４ｄに係止することにより、ロワーシェル７０のバックスタンド１４への取付状態がロックされている。
【００３２】
図３及び図７に示されるように、ロケータ８０は、ロワーシェル７０に支持される２つの被支持部８１と、被支持部８１間に延びる略板状の保持部８２とを有している。本実施の形態における被支持部８１は、ブロック状のものであり、カードコネクタ１を基板に搭載する際に基板上に位置することとなる搭載面８１ａを有している。被支持部８１の側面上には、Ｚ方向に延びるＴ字状溝８１ｂが形成されている。本実施の形態におけるＴ字状溝８１ｂは、搭載面８１ａから上側に向かって所定の長さにかけては、ＸＹ平面における断面がＴ字形状となっており、その後は、断面が長方形状となるような溝である。このＴ字状溝８１ｂには、図３に示されるように、ポスト９０が搭載面８１ａ側から挿入され、搭載面８１ａから下側に突出した状態で被支持部８１に保持される。また、被支持部８１の搭載面８１ａ上には、搭載面８１ａを基板へ搭載する際の位置決めに役立つ位置決めボス８３と、基板へ被支持部８１を固定するロケータフック８４が形成されている。図３、図６及び図７などから理解されるように、位置決めボス８３及びロケータフック８４は、搭載面８１ａから下側に突出している。被支持部８１の側面上には、Ｚ方向に延びるＴ字状突条部８５が形成されている。このＴ字状突条部８５は、ＸＹ平面においてＴ字状の断面を有するものである。被支持部８１の上方（Ｚ方向側）であってＴ字状突条部８５の後方（Ｘ方向側）には、図６及び図７に示されるように、係止凹部８１ｃが形成されている。保持部８２には、Ｚ方向において保持部８２を貫通する整列孔８２ａが形成されている。この整列孔８２ａにコンタクト５０の垂直部５２が挿通され、それによって、垂直部５２の端部が整列孔８２の配置に従って整列させられ且つ保持部８２から下側に突出した状態で、垂直部５２がロケータ８０に保持される。また、Ｔ字状突条部８５の幅小の部分をロワーシェル７０の第２スリット７２ｆ内に入れることにより、ロケータ８０はロワーシェル７０に取付けられ、それによってロケータ８０はロワーシェル７０に支持される。この際、ロワーシェル７０の係止バネ７２ｇが係止凹部８１ｃに係止することにより、ロワーシェル７０によるロケータ８０の支持がロックされる。なお、ロケータ８０をロワーシェル７０に取り付ける際、図６に示されるように、ロワーシェル７０のバネ片７２ｅを被支持部８１のＴ字状溝８１ｂに挿入され、先にＴ字状溝８１ｂ内に保持されていたポスト９０と接触し、これにより、両者の電気的接続が図られている。
【００３３】
図３及び図６に示されるように、アッパーシェル１００は、略平板状の背面部１０１と、背面部１０１の上端から前方に延びる上面部１０２と、上面部１０２のＹ方向両端から下側に延びる側部１０３を備えている。背面部１０１には、アッパーシェル１００の軽量化のため、複数の孔が形成されている。また、側部１０３には、係止舌片１０４が形成されている。図６から理解されるように、このアッパーシェル１００の取付は、最後に行われる。即ち、グランドプレート６０をフレーム１０に取付け、コンタクト５０及びロワーシェル７０をフレーム１０に取付け、更にポスト９０付のロケータ８０をロワーシェル７０に取付けた後に、アッパーシェル１００をフレーム１０の後端に取付ける。この際、アッパーシェル１００の係止舌片１０４がバックスタンド１４の係止凹部１４ｅに係止し、それによってアッパーシェル１００がフレーム１０に取付けられた状態がロックされる。また、ロワーシェル７０の背面バネ部７３ａがアッパーシェル１００の背面部１０１に接触子、それにより両者の電気的接続が図られている。このようにして、本実施の形態においては、カード２の接点部２ｃから、グランドプレート５０、ロワーシェル７０及びアッパーシェル１００、並びにポスト９０を介して、基板にグランドを落とす経路が形成されている。ここで、本実施の形態によるコンタクト５０の垂直部５２は、図１、図２及び図６から理解されるように、ＸＹ平面（上下方向に直交する平面）においてロワーシェル７０及びアッパーシェル１００により、周囲を囲われた状態となっている。換言すると、本実施の形態によるロワーシェル７０及びアッパーシェル１００は、コンタクト５０の垂直部５２の周囲を囲む略筒状のシールドを構成しており、従って、強固なシールド特性が得られている。
【００３４】
更に、後端側のスタンドオフ高さは、ロワーシェル７０とロケータ９０によって決まっているが、本実施の形態によれば、ロワーシェル７０とロケータ９０を別体としていることから、スタンドオフ高さを高くしたい場合にはロワーシェル７０のサイズを大きくすればよく、スタンドオフ高さの高い製品を製造することが容易となっている。
【００３５】
以上、具体的な例を掲げて説明してきたが、本発明はこれに限定されるものではなく、種々変形可能である。
【００３６】
例えば、上述した実施の形態においては、ポスト９０はロワーシェル７０と別体であり、ロケータ８０に保持されるようにして構成されていたが、ポストをロワーシェルと一体に構成することとしてもよい。
【００３７】
更には、上述した実施の形態において、コンタクト５０の垂直部５２の周囲を覆うシールドをロワーシェル７０及びアッパーシェル１００の組み合わせにより構成していたが、例えば、図８及び図９に示されるように、アッパーシェルを省略し、ロワーシェル７０′のみで垂直部５２の周囲を覆うこととしてもよい。ロワーシェル７０′の場合、図８に示されるようにコンタクト５０の垂直部５２の背面側を覆う背面部７３′を有しており、図９に示されるように前面側中央にかしめ部７４を有するように、構成されており、その結果、ＸＹ平面において略長方形状の断面を有することとなっている。なお、図示された例においては、アッパーシェル１００の上面部１０２に相当する部分をシールドするために、グランドプレート６０′の主部６１′も後端側まで延ばされており、コンタクト５０の露出が最小限に抑えられている。
【図面の簡単な説明】
【００３８】
【図１】本発明の実施の形態によるカードコネクタを斜め上方から見た場合の斜視図である。
【図２】図１のカードコネクタを斜め下方から見た場合の斜視図である。
【図３】図２のカードコネクタを示す分解斜視図である。
【図４】図１のカードコネクタにおけるフレームを示す斜視図である。
【図５】図２のカードコネクタにおけるＶ−Ｖ線に沿った部分断面図である。
【図６】図２のカードコネクタにおけるアッパーシェルの組立段階の状態を示す一部分解斜視図である。
【図７】図３に示されるコンタクト、ロワーシェル、ロケータ及びポストを示す斜視図である。
【図８】図１に示されるカードコネクタの変形例を示す斜視図である。
【図９】図８のカードコネクタを斜め下方から見た場合の斜視図である。
【符号の説明】
【００３９】
１        カードコネクタ
２        カード
２ａ      サイドエッジ
２ｂ      電極部
２ｃ      接点部
１０        フレーム
１１        ベース部
１１ａ      保持孔
１２        ガイド部
１２ａ      ガイド溝
１２ｂ      係止凸部
１２ｃ      凹部
１３        ブリッジ部
１４        バックスタンド
１４ａ      係止溝部
１４ｂ      Ｔ字状突条部
１４ｃ      端部
１４ｄ      係止凹部
１４ｅ      係止凹部
１５        フロントスタンド
１５ａ      コの字状溝
１５ｂ      収容部
１５ｃ      前面
１５ｄ      底部
１５ｅ      底部
１６        被取付部
１６ａ      面
１６ｂ      係止凹部
１６ｃ      サイド溝
１６ｄ      Ｔ字状溝
２０        アースラグ
２１        主部
２１ａ      部位
２２        第１バネ部
２３        先端部
２４        第２バネ部
２５        第１アーム部
２６        第２アーム部
２７        被挿入部
２８        第３バネ部
３０        フックピン
３１        凸片
３２        第１端部
３３        背面
３４        係止舌片
３５        第２端部
３６        二股係止片
４０        シールドプレート
４１        固定片
４２        当接部
４３        接触部
４４        フロントタブ
４５        孔
５０        コンタクト
５１        水平部
５２        垂直部
６０        グランドプレート
６１        主部
６２        側部
６３        バネ片
６４        被係止孔
６５        固定爪
６６        係止バネ部
７０        ロワーシェル
７１        前面部
７１ａ      孔
７２        側面部
７２ａ      第１スリット
７２ｂ      端部
７２ｃ      バネ片
７２ｄ      係止舌片
７２ｅ      バネ片
７２ｆ      第２スリット
７２ｇ      係止バネ
７３        背面部
７３ａ      背面バネ部
８０        ロケータ
８１        被支持部
８１ａ      搭載面
８１ｂ      Ｔ字状溝
８１ｃ      係止凹部
８２        保持部
８２ａ      整列孔
８３        位置決めボス
８４        ロケータフック
８５        Ｔ字状突条部
９０        ポスト
１００        アッパーシェル
１０１        背面部
１０１ａ      孔
１０２        上面部
１０３        側部
１０４        係止舌片
【図１】
0004633130.tif 000002
【図２】
0004633130.tif 000003
【図３】
0004633130.tif 000004
【図４】
0004633130.tif 000005
【図５】
0004633130.tif 000006
【図６】
0004633130.tif 000007
【図７】
0004633130.tif 000008
【図８】
0004633130.tif 000009
【図９】
0004633130.tif 000010